(57)【特許請求の範囲】
【請求項１】
躯体の下地面に板材の端部を係止させて取り付ける長尺状に形成された取り付け具であって、前記下地面に固定される固定板部と、該固定板部を前記下地面に固定した際に前記下地面に対して略垂直に延在される支持板部と、該支持板部の上端にて両側方に延在された係止板部とから構成され、前記下地面に前記固定板部を固定することにより、前記支持板部、係止板部及び下地面から、前記板材の端部を嵌め込んで係止可能な係止凹部が形成されてなり、前記係止板部には、前記支持板部との連結箇所寄りに、断面波形に形成された弾性付与部が長手方向へ沿って設けられ、前記支持板部には、前記固定板部との連結箇所寄りに、断面波形に形成された弾性付与部が長手方向へ沿って設けられていることを特徴とする板材の取り付け具。
【請求項２】
前記係止板部には、前記支持板部との連結箇所近傍に、長手方向へ沿って切り込み部が形成されていることを特徴とする請求項１記載の板材の取り付け具。
【請求項３】
前記係止板部は、前記係止凹部側へ僅かに湾曲されていることを特徴とする請求項１又は２記載の板材の取り付け具。
【発明の詳細な説明】
【０００１】
【発明の属する技術分野】
この発明は、板材の端部を係止して躯体等の下地面へ取り付ける板材の取り付け具に関するものである。
【０００２】
【従来の技術】
一般に、断熱板等の板材を躯体へ取り付ける場合、図５に示すような、板材の取り付け具１が用いられていた。
この板材の取り付け具１は、断熱板等の板材２が取り付けられる躯体３等の下地面３ａに、釘４等によって固定される固定板部５と、この固定板部５から略垂直に延在された支持板部６と、この支持板部６の上端に設けられて、前記固定板部５と平行に両側方へ延在された係止板部７とを有している。
このように下地面３ａに取り付けられた取り付け具１のそれぞれの係止板部７、支持板部６及び下地面３ａによって囲われた部分が、板材２の端部が嵌め込まれる係止凹部８とされている。
【０００３】
そして、躯体３の下地面３ａに取り付け具１を固定し、その係止板部７と躯体３の下地面３ａとの間に形成された係止凹部８へ、板材２の端部を嵌め込むことにより、この板材２の端部が係止板部７によって係止されて躯体３の下地面３ａに取り付けられるようになっている。
なお、係止板部７には、その先端部に、係止凹部８側へ突出する係止突条７ａが長手方向へ沿って形成されている。
【０００４】
【発明が解決しようとする課題】
ところで、上記形状の取り付け具１にあっては、板材２を係止凹部８へ嵌め込む場合、係止板部７を下地面３ａから離れる方向へ若干引っ張り、係止凹部８を広げなければならないため、その作業に多大な労力を要するという問題があり、特に、一方側の係止凹部８に板材２の端部を嵌め込んだ状態にて、他方側の係止凹部８へ板材２の端部を嵌め込む場合は、既に嵌め込まれた板材２によって嵌め込む側の係止凹部８を広げることが極めて困難となってしまい、取り付け作業の煩雑化を招いてしまうという問題があった。
しかも、この取り付け具１の場合、図６に示すように、縦に配置させた取り付け具１Ａと、これら縦に配列させた取り付け具１Ａ同士の間にて横に配置させた取り付け具１Ｂとの間に隙間が形成されてしまい、外観が損なわれてしまうという問題があった。
【０００５】
この発明は、上記事情に鑑みてなされたもので、極めて容易に断熱板等の板材を躯体等の下地面へ取り付けることが可能な板材の取り付け具を提供することを目的としている。
【０００６】
【課題を解決するための手段】
上記目的を達成するために、請求項１記載の板材の取り付け具は、躯体の下地面に板材の端部を係止させて取り付ける長尺状に形成された取り付け具であって、前記下地面に固定される固定板部と、該固定板部を前記下地面に固定した際に前記下地面に対して略垂直に延在される支持板部と、該支持板部の上端にて両側方に延在された係止板部とから構成され、前記下地面に前記固定板部を固定することにより、前記支持板部、係止板部及び下地面から、前記板材の端部を嵌め込んで係止可能な係止凹部が形成されてなり、前記係止板部には、前記支持板部との連結箇所寄りに、断面波形に形成された弾性付与部が長手方向へ沿って設けられ、前記支持板部には、前記固定板部との連結箇所寄りに、断面波形に形成された弾性付与部が長手方向へ沿って設けられていることを特徴としている。
【０００７】
請求項２記載の板材の取り付け具は、請求項１記載の板材の取り付け具において、前記係止板部の前記支持板部との連結箇所近傍に、長手方向へ沿って切り込み部が形成されていることを特徴としている。請求項３記載の板材の取り付け具は、請求項１又は２記載の板材の取り付け具において、前記係止板部が、前記係止凹部側へ僅かに湾曲されていることを特徴としている。
【０００８】
【発明の実施の形態】
以下、本発明の板材の取り付け具の実施の形態を図によって説明する。なお、従来技術と同一構造部分には、同一符号を付して説明を省略する。
図１及び図２において、符号１１は、取り付け具である。この取り付け具１１は、例えば、プラスチック等の合成樹脂あるいはアルミ等の金属板から成形されている。この取り付け具１１には、固定板部５から延在された支持板部６に、固定板部５との連結箇所寄りに支持板部弾性付与部（弾性付与部）１２が長手方向へ沿って形成されている。この支持板部弾性付与部１２は、支持板部６を断面波形に屈曲させた形状とされている。そして、この支持板部弾性付与部１２によって支持板部６に、面と交差する方向への弾性が付与されている。
【０００９】
この取り付け具１１の係止板部７には、それぞれ支持板部６との連結箇所寄りに係止板部弾性付与部（弾性付与部）１３が長手方向へ沿って形成されている。これら係止板部弾性付与部１３も、前記支持板部弾性付与部１２と同様に、係止板部７を断面波形に屈曲させた形状とされている。そして、これら係止板部弾性付与部１３によってそれぞれの係止板部７に、面と交差する方向への弾性が付与されている。
【００１０】
取り付け具１１の係止板部７は、固定板部５を躯体３の下地面３ａへ取り付けた際に、係止板部７、支持板部６及び下地面３ａとによって囲われる係止凹部８側へ僅かに湾曲されている。
また、図３に示すように、固定板部５の延在方向と反対方向へ延在された係止板部７には、支持板部６との連結箇所近傍における係止凹部８側の面に、長手方向へ沿って切り込み部１４が形成されている。
【００１１】
次に、上記構成の板材の取り付け具１１を用いて板材２からなる板材２を躯体３の下地面３ａへ取り付ける場合について説明する。
まず、躯体３の下地面３ａへ取り付け具１１を、固定板部５を釘４等によって躯体３の下地面３ａへ固定することにより取り付ける。
このようにすると、下地面３ａへ取り付けた取り付け具１１の係止板部７、支持板部６及び躯体３の下地面３ａとによって係止凹部８が形成される。
【００１２】
次いで、上記のように取り付け具１１を下地面３ａに取り付けることによって形成された係止凹部８に、片方ずつ、板材２の端部を嵌め込んで係止させる。
まず、一方側の係止凹部８へ板材２の端部を嵌め込む場合は、嵌め込む側の係止凹部８を広げるために、嵌め込む側の係止凹部８を形成する係止板部７を下地面３ａから離間する方向へ引き上げる。
ここで、この取り付け具１１の係止板部７及び支持板部６には、それぞれ係止板部弾性付与部１３及び支持板部弾性付与部１２が形成されて、それぞれ面と交差する方向への弾性が付与されているので、係止凹部８を容易に広げることができ、板材２の端部の嵌め込みを極めて容易に行うことができる。
【００１３】
次に、他方側の係止凹部８へ板材２の端部を嵌め込む場合について説明する。一方側の係止凹部８に既に板材２の端部が嵌め込まれていることにより、取り付け具１１の支持板部６は容易に弾性変形しないが、係止板部７に形成された係止板部弾性付与部１３によって面と交差する方向への弾性が付与されているので、この係止板部７の弾性変形を比較的容易に行うことができ、これにより、他方側の係止凹部８への板材２の端部の嵌め込みも容易に行うことができる。
【００１４】
このように、上記実施の形態の取り付け具によれば、係止凹部８に嵌め込まれた板材の端部を係止する係止板部７に、支持板部６との連結箇所寄りに断面波形に屈曲させてなる係止板部弾性付与部１３が形成されて、これら係止板部７に、面と交差する方向への弾性が付与されているので、係止板部７、支持板部６及び躯体３の下地面３ａから形成されて板材２の端部が嵌め込まれる係止凹部８へ板材２の端部を嵌合させる際に、係止板部７を下地面３ａから離間する方向へ容易に弾性変形させて、係止凹部８を広げることができ、これにより、この係止凹部８への板材２の端部の嵌合を極めて容易に行うことができ、板材２の取り付け作業の効率を大幅に向上させることができる。
【００１５】
特に、一方側の係止凹部８に板材２の端部が既に嵌合された状態にて、他方側の係止凹部８の端部に板材２の端部を嵌合させる場合でも、この他方側の係止凹部８を形成する係止板部７を下地面３ａから離間する方向へ容易に弾性変形させて、係止凹部８を広げることができ、他方側の係止凹部８への板材２の端部の嵌合も容易に行うことができる。
また、支持板部６の固定板部５との連結箇所寄りに設けられた支持板部弾性付与部１２によって支持板部６にも面と交差する方向への弾性が付与されているので、固定板部５が固定された躯体３の下地面３ａに対して容易に傾けることができ、係止凹部８への板材２の嵌め込み時に、この係止凹部８をさらに広げて板材２の取り付け作業のさらなる容易化を図ることができる。
しかも、この取り付け具１１を構成する係止板部７は、それぞれ係止凹部８側へ僅かに湾曲されて、係止凹部８へ嵌合された板材２の端部への係止力が高められているので、この係止板部７による板材２の良好な係止状態を維持させることができる。
【００１６】
また、この取り付け具１１によれば、係止板部７及び支持板部６にそれぞれ形成された係止板部弾性付与部１３及び支持板部弾性付与部１２によって、係止凹部８を容易に広げることができるので、この係止凹部８へ取り付け具１１の端部も嵌め込むことができる。
【００１７】
これにより、図４に示すように、縦に配設した取り付け具１１Ａ同士の間にて、横に取り付け具１１Ｂを配設し、板材２の周囲を係止させる場合に、横に配設した取り付け具１１Ｂの端部をそれぞれ縦に配設した取り付け具１１Ａの係止凹部８に嵌め込むことができ、これにより、これら縦に配設した取り付け具１１Ａと横に配設した取り付け具１１Ｂとの間に隙間が形成されるようなことがなく、良好な美観を得ることができる。
【００１８】
さらには、躯体３に窓等の開口部があり、取り付け具１１の一側部側にて板材２の取り付けが不要な場合は、固定板部５と反対側に延在された係止板部７を、切り込み部１４に沿って切断して取り去ることができる。これにより、板材２を開口部の近傍まで配設させることができる。
なお、上記実施の形態では、支持板部６及び係止板部７に形成した支持板部弾性付与部１２及び係止板部弾性付与部１３をそれぞれＳ字状に湾曲させた波形に形成した例をしめしたが、この波形形状としては、のこ歯状あるいは山形状等であっても良いことは勿論である。
【００１９】
【発明の効果】
以上、説明したように、本発明の板材の取り付け具によれば、下記の効果を得ることができる。
請求項１記載の板材の取り付け具によれば、係止板部、支持板部及び躯体の下地面によって形成された係止凹部に嵌め込まれた板材の端部を係止する係止板部に、支持板部との連結箇所寄りに断面波形に屈曲させてなる弾性付与部が形成されて面と交差する方向への弾性が付与されているので、係止凹部へ板材の端部を嵌合させる際に、係止板部を下地面から離間する方向へ容易に弾性変形させて、係止凹部を広げることができ、これにより、この係止凹部への板材の端部の嵌合を極めて容易に行うことができ、板材の取り付け作業の効率を大幅に向上させることができる。
特に、一方側の係止凹部に板材の端部が既に嵌合された状態にて、他方側の係止凹部の端部に板材の端部を嵌合させる場合でも、この他方側の係止凹部を形成する係止板部を下地面から離間する方向へ容易に弾性変形させて、係止凹部を広げることができ、他方側の係止凹部への板材の端部の嵌合も容易に行うことができる。
【００２０】
さらに、支持板部の固定板部との連結箇所寄りに設けられた弾性付与部によって支持板部に面と交差する方向への弾性が付与されているので、固定板部が固定された躯体の下地面に対して容易に傾けることができ、係止凹部への板材の嵌め込み時に、この係止凹部をさらに広げて板材の取り付け作業のさらなる容易化を図ることができる。請求項２記載の板材の取り付け具によれば、躯体に窓等の開口部があり、取り付け具の一側部側にて板材の取り付けが不要な場合は、取り付けの不要な側の係止板部を、切り込み部に沿って切断して取り去ることができる。これにより、板材を開口部の近傍まで配設させることができる。請求項３記載の板材の取り付け具によれば、係止板部が、それぞれ係止凹部側へ僅かに湾曲されて、係止凹部へ嵌合された板材の端部への係止力が高められているので、この係止板部による板材の良好な係止状態を維持させることができる。
【図面の簡単な説明】
【図１】  本発明の実施の形態の板材の取り付け具の構成及び形状を説明する板材を躯体の下地面に取り付けた状態の取り付け具の斜視図である。
【図２】  本発明の実施の形態の板材の取り付け具の構成及び形状を説明する取り付け具の側面図である。
【図３】  本発明の実施の形態の板材の取り付け具の構成及び形状を説明する板材の一部の側面図である。
【図４】  本発明の実施の形態の板材の取り付け具による板材の取り付け方を説明する取り付けられた板材の平面図である。
【図５】  従来の板材の取り付け具の構成及び形状を説明する板材を躯体の下地面に取り付けた状態の取り付け具の斜視図である。
【図６】  従来の板材の取り付け具による板材の取り付け方を説明する取り付けられた板材の平面図である。
【符号の説明】
２  板材
３  躯体
３ａ  下地面
５  固定板部
６  支持板部
７  係止板部
８  係止凹部
１１  取り付け具
１２  支持板部弾性付与部（弾性付与部）
１３  係止板部弾性付与部（弾性付与部）
１４  切り込み部
【図１】
0003795197.tif 000002
【図２】
0003795197.tif 000003
【図３】
0003795197.tif 000004
【図４】
0003795197.tif 000005
【図５】
0003795197.tif 000006
【図６】
0003795197.tif 000007